(57)【要約】  【課題】  シートを前倒し前の元の位置でロックするメモリー機構を有するシート調整装置を提供する。  【解決手段】  ロアレール（１）と該ロアレールに摺動可能に嵌合させたアッパレール（２）とから成り、ロアレールにはメモリーユニット（４）が走行するブラケット（３）を設け、アッパレール内にはロック孔（７）がロアレールのロック歯（８）に噛合するように付勢されているロック板（６）を備え、更にアッパレールにはロック歯とロック孔との噛合を外すリンク（９）と、ロック板のロックオフ状態を維持する第１カム（１０）と、メモリーユニット（４）により回動して第一カム（１０）のロックオフ状態を解除する第２カム（１１）とをそれぞれ回動可能に設けてある。【選択図】    図１
2009202832.tif 000002
【特許請求の範囲】
【請求項１】
ロアレールと該ロアレールに摺動可能に嵌合させたアッパレールとから成り、ロアレールにはメモリーユニットが走行するブラケットを備え、アッパレール内にはロアレールに形成した多数のロック歯に係合するように付勢されているロック板を回動可能に取付け、アッパレール上には操作レバーによりロック板を下方に押圧させてロアレールのロック歯とロック板のロック孔との噛合を外すリンクと該リンクによるロックオフ状態を維持する方向に付勢されている第１カムとを回動可能に設け、リンクにはリンクの回動によりブラケット上に乗り上げてシートの調整位置を記憶するメモリーユニットを連結し、該リンクを第１カムに形成した切欠部を通してロック板に係合させ、リンクには該リンクの回動により第１カムよりも下方に移動してロック解除状態を維持する方向に回動した第１カムに係合する突起部を備え、記憶したシートの調整位置で一端がメモリーユニットに押圧されかつその他端が第１カムを押圧してリンクを回動させると共にロック板を持ち上げてロアレールのロック歯とロック板のロック孔とを噛合させる第２カムを回動可能にアッパレール上に設けたことを特徴とするメモリー機構を有するシート調整装置。
【請求項２】
メモリーユニットがブラケット上を走行するローラーを一端に取付けかつ他端を第２カムに係合させたシャフトを軸線方向に移動可能に備えたハウジングから成り、ハウジング内にはシャフトに取付けたウオームに噛合するギヤーを設け、ギヤー上にはギヤーの正逆回転によりハウジングに設けた上部ストッパに係合する上部突起とアッパレール上に備えた下部ストッパに係合する下部突起とを設け、上部突起が上部ストッパに当接するギヤの正方向の一回転がシートを前方に摺動させかつ記憶することができる範囲を設定し、ギヤーの逆回転において下部突起が下部ストッパに当接する位置を上部突起が上部ストッパに当接する位置より少し前にギヤー内に位置決めさせたことを特徴とする請求項１に記載のメモリー機構を有するシート調整装置。
【請求項３】
メモリーユニットがアッパレール上に回動可能に取付けられ、該メモリーユニットをバネによりリングに連結し、アッパレール上にはローラーがブラケットから離脱する方向にメモリーユニットを付勢させる板ばねを設けたことを特徴とする請求項１又は２に記載のメモリー機構を有するシート調整装置。
【発明の詳細な説明】
【技術分野】
【０００１】
本発明は後方のシートに人が乗り込むために、前方のシートの背もたれを前に倒してシートを前方に摺動させた後に再びシートを後方に摺動させてシートの背もたれを起した時にシートを前倒しする前の元の位置でシートをロックするメモリー機構を有するシート調整装置に関するものである。
【背景技術】
【０００２】
従来この種のメモリー機構を有するシート調整装置は特表２００５−５１５１１５号公報（例えば、特許文献１）に記載されているものがあり、該特許文献１に記載のものはシートを前倒しする際に、切り替えレバー（３５）によって走行輪（４１）が下側レール（１５）に当接する位置に押し付けられ、シートを前後に摺動させた時に、走行輪（４１）が摩擦によって下側レール（１５）に沿って走行するような構成になっている。走行輪（４１）が下側レール（１５）に沿って走行することにより、小型歯車（４９）が回転すると共に小型歯車（４９）に噛合している大型歯車（３１）も回転し、それにより変位測定装置（２１）が駆動する。その変位測定装置（２１）に連動して制御信号発生器（５３）がスピンドル（２５）に沿って移動する。シートを後方に摺動させるとき、制御信号発生器（５３）は支承ブロック（２７）に向かって移動し、制御信号発生器の第２ストップ面（５５）が支承ブロック（２７）の第１ストップ面（２９）に当接する位置に移動する。それにより、制御ばね（５９）が作用を受け、位置決めレバー（７３）が回動する。回動した位置決めレバー（７３）のロックノーズ（８１）が下側レール（１５）と上側レール（１３）の相対移動を停止させる。シートの背もたれ（５）を起したときに、ロック装置（１６）が作動してシートを固定する。
【０００３】
【特許文献１】特表２００５−５１５１１５号公報
【発明の開示】
【発明が解決しようとする課題】
【０００４】
上述した特許文献１に記載のものはシートの前倒し後にシートの背もたれを起こさないで、シートを後方に移動させ、位置決めレバー（７３）のロックノーズ（８１）が前倒し前の元の位置で下側レール（１５）と上側レール（１３）との相対移動を停止させる構成になっており、位置決めレバー（７３）のロックノーズ（８１）が下側レールと上側レールとの相対移動を停止させる前に、シートの背もたれを起こすと、ロック装置（１６）が作動してしまい、その摺動位置でシートが固定されてしまう。従って、特許文献１に記載のものはシートを前倒ししてから元の位置まで戻すときに、シートの背もたれを起こさないで元の摺動位置まで移動させ、それからシートの背もたれを起こす必要がありそれ以前にシートの背もたれを起こすと、前倒し前の元の位置でシートを固定できない欠点がある。
【０００５】
本発明の目的はシートの背もたれを起こす時点に関係なく、シートを前倒し前の元の位置で確実にロックするメモリー機構を有するシート調整装置を提供することにある。
【課題を解決するための手段】
【０００６】
本発明によるメモリー機構を有するシート調整装置はロアレールと該ロアレールに摺動可能に嵌合させたアッパレールとから成り、ロアレールにはメモリーユニットが走行するブラケットを備え、アッパレール内にはそのロック孔がロアレールに形成した多数のロック歯に噛合するように付勢されているロック板を回動可能に取付け、アッパレール上には操作レバーによりロック板を下方に押圧させてロアレールのロック歯とロック板のロック孔との噛合を外すリンクとロックオフ状態を維持する方向に付勢されている第１カムとを回動可能に設け、リンクにはリンクの回動によりブラケット上に乗り上げてシートの調整位置を記憶するメモリーユニットを連結し、リンクを第１カムに形成した切欠部を通してロック板に当接させ、リンクには該リンクの回動により第１カムより下方に移動させてロックオフ状態を維持する方向に回動した第１カムと係合する突起部を備え、記憶したシートの調整位置で一端がメモリーユニットに押圧されかつその他端が第１カムを押圧してリンクを回動させるとともにロック板を持ち上げてロアレールのロック歯をロック板のロック孔とを噛合させる第２カムを回動可能にアッパレール上に設けたものである。
【０００７】
メモリーユニットはブラケット上を走行するローラーを一端に取付けかつ他端を第２カムに係合させたシャフトを軸線方向に移動可能に備えたハウジングから成り、ハウジング内にはシャフトに取付けたウオームに噛合するギヤーを設け、ギヤー上にはギヤーの正逆回転によりハウジングに設けた上側ストッパに係合する上部突起とアッパレール上に備えた下側ストッパに係合する下部突起とを設けている。上部突起が上部ストッパに当接するギヤーの正方向の一回転はシートを前方に摺動させかつ記憶することができる範囲を設定し、上部突起が上部ストッパに当接するギヤーの逆方向の一回転はシートを前倒し前の元の位置に復帰させる摺動範囲を設定し、ギヤーの逆回転において下部突起が下部ストッパに当接する位置は上部突起が上部ストッパに当接する位置より少し前にギヤー内に置付決めされている。
【０００８】
メモリーユニットはアッパレール上に回動可能に取付けられ、該メモリーユニットをバネによりリングに連結し、アッパレール上にはローラーがブラケットから離脱する方向にメモリーユニットを付勢する板ばねを設けている。
【発明の効果】
【０００９】
本発明においては第１カムがリンクをロックオフ状態に保持するようになっているので、シートの背もたれを起こす時点に関係なく、シートを前倒し前の元の位置で確実にロックすることができ、メモリー機構をメモリーユニットのみから構成してあるので、少ない部品数で構成でき、その構造を簡素化させることができ、更に確実かつ安定したメモリー作動を行うことができる。
【発明を実施するための最良の形態】
【００１０】
本発明によるメモリー機構を有するシート調整装置は断面を略Ｕ字形状に形成したロアレール１と断面を略逆Ｕ字形状に形成したアッパレール２とから成り、自動車のフロアに固定されるロアレール１にはアッパレール２をそれらの開口部が互いに向き合うようにボールベアリングを介して摺動可能に嵌合してある。ロアレール１にはメモリーユニット４のローラー５が走行するブラケット３を取付けると共にロック板６に設けたロック孔７が噛合する多数のロック歯８を形成してある。
【００１１】
アッパレール２上にはリンク９と、第１カム１０と、第２カム１１と、メモリーユニット４を回動可能に備えたブラケット１２を付設し、アッパレール２内にはロック孔７がロアレール１のロック歯８に噛合するようにバネにより付勢されているロック板６を回動可能に取付け、またリンク９をロック板６に係合させるための開口部１３をアッパレール２に形成してある。
【００１２】
リンク９は操作レバーの作動によりロック板６を下方に押下げてロアレール１のロック歯８とロック板６のロック孔７との噛合を外すように回動可能にブラケット１２に取付けられ、第１カム１０に形成した切欠部１４とアッパレール２に形成した開口部１３を通してロック板６に係合し、そしてスプリング１５によりメモリーユニット４に連結している。更にリンク９にはロック歯８とロック孔７との噛合を外したロックオフ状態を維持するために第１カム１０と係合する突起部１６を備えている。
【００１３】
第１カム１０はブラケット１２に回動可能に取付けられ、ばね（図示せず）によりロックオフ状態を維持する方向に付勢されている。第１カム１０にはロックオフ状態においてリンク９の突起部１６と係合する指部１７を備えると共に第２カム１１の一端に設けた水平部１８と係合する突出部１９とを備え、更に第２カム１１の水平部１８には押圧された際にスプリング１５の付勢力によりリンク９を回動させてその突起部１６を通過させる切欠部１４を指部１７と突出部１９との間に形成してある。
【００１４】
第２カム１１は一端に第１カム１０の突出部１９に係合させた水平部１８を備えると共に他端にはメモリーユニット４のローラー５のシャフト２０に係合させた垂直部２１を備え、ブラケット１２に回動可能に取付けられている。第２カム１１は垂直部２１がメモリーユニット４のシャフト２０により押圧された際に水平部１８が第１カムの突出部１９を押圧して指部１７とリンク９の突起部１６との係合を外し、スプリング１５によりリンク９を回動させてロック板６のロック孔７をロアレール１のロック歯８に噛合させる作用をなす。
【００１５】
メモリーユニット４はスプリング１５によりリンク９に連結されると共に軸２３によりブラケット１２に回動可能に取付けられ、操作レバーによるリンク９の回動によりロアレール１のブラケット３上に乗り上げた時点でシートの調整位置を記憶したこととなる。メモリーユニット４はロアレール１のブラケット３上を走行するローラー５を一端に取付けかつ他端を第２カム１１の垂直部２１に係合させたシャフト２０を備えたハウジング２４を有し、シャフト２０はブラケット３上を走行するローラー５により回転すると共に軸線方向に移動可能にハウジング２４に備えられている。ハウジング２４内にはシャフト２０に取付けたウオーム２５に噛合するギヤー２６を設けてあり、ローラー５がブラケット３上で回転することにより、シャフト２０が回転し、シャフト２０のウオーム２５に噛合するギヤー２６が回転するようになっている。
【００１６】
メモリーユニット４に備えたギヤー２６の上部には上部突起２７を設け、該上部突起２７に係合する上部ストッパ２８をハウジング２４に取付けてあり、上部突起２７が上部ストッパ２８に当接した状態から回動して上部ストッパ２８に係合するギヤー２６の正方向の一回転がシートを前方に摺動させかつ記憶することができる範囲であり、また上部突起２７が上部ストッパ２８に当接するギヤー２６の逆方向の一回転がシートを前倒し前の元の位置に復帰させる摺動範囲である。更にギヤー２６の下部には下部突起２９を設け、リンク９の回動によりメモリーユニット４が回動してロアレール１のブラケット３に乗り上がる時にギヤーの下部突起２９が係合する板ばね状の下部ストッパ３０をブラケット１２に取付けてある。ギヤー２６の逆回転において下部突起２９が下部ストッパ１５と接触する位置は前倒し開始時の上部突起２７が上部ストッパ２８に当接していた位置より少し手前にギヤー２６上に位置決めされている。更にブラケット１２にはメモリーユニット４をロアレール１のブラケット３から離脱させるように付勢させる板ばね３１を取付けてある。
【００１７】
本発明によるメモリー機構を有するシート調整装置がシートの前倒しを開始した元の位置でロック板をロアレールに噛合させてシートをロックする作動を以下に説明する。
【００１８】
操作レバーを作動させてシートの背もたれの前倒しを開始すると、リンク９が回動してロック板６を下方に押圧し、ロアレール１のロック歯８とロック板６のロック孔７との噛合を外し、リンク９の回動によりスプリング１５に引張られて軸２３で回動可能にブラケット１２に取付けられているメモリーユニット４が板ばね３１に抗して傾動し、メモリーユニット４のローラー５がロアレール１のブラケット３上に乗り上がると共にメモリーユニット４のギヤー２６に備えた下部突起２９がブラケット１２に取り付けた下側ストッパ３０上に乗り上がる。またリング９の突起部１６が第１カム１０より下方に移動した時に、第１カム１０がばねにより付勢されているので、第１カム１０が回動してその指部１７がリンク９の突起部１６に係合し、ロック歯８とロック孔７との噛合を外したロックオフ状態を保持し、同時にロアレール１のブラケット３にメモリーユニット４のローラー５が乗り上がることにより、シートの位置を記憶したことになる。
【００１９】
ウオークイン動作を行うために、シートを前方に摺動させると、即ちロアレール１に沿ってアッパレール２を前方に摺動させると、メモリーユニット４のローラー５がブラケット３上を走行して回転し、ローラー５の回転によりシャフト２０のウオーム２５に噛合するギヤー２６が正回転し、上部突起２７が上部ストッパ２８に係合している状態から回動してギヤー２６が正方向に一回転すると、上部突起２７と上部ストッパ２８とが係合してギヤー２６の正回転を停止させると共にシートの前方摺動が終了する。
【００２０】
ウオークイン動作後にシートを後方に摺動させると、即ちロアレールに沿ってアッパレール２を後方に摺動させると、メモリーユニット４のローラー５がブラケット３上を後方に走行して逆回転し、ローラー５の逆回転によりシャフト２０のウオーム２５に噛合するギヤー２６も逆回転し、ギヤー２６は下部突起２９が下部ストッパ３０と係合するまで逆回転する。下部突起２９が下部ストッパ３０に係合する位置は上部突起２７が上部ストッパ２８に係合する位置より少し前に設定されているので、下部突起２９が下部ストッパ３０に係合してギヤー２６はその逆回転を停止する。更にシートを後方に摺動させると、ギヤー２６は下部突起２９と下部ストッパ３０との係合により停止しているため、ギヤー２６と噛合しているウオーム１２が回動してシャフト２０を軸線方向に押圧し、シャフト２０が第２カム１１の垂直部２１を押圧する。シャフト２０が第２カム１１を押圧する期間、シートは後方に少し摺動するので下部突起２９が下部ストッパ３０に当接した後に上側突起２７はシートの前倒し開始時の上側ストッパ２８に当接する。シャフト２０に押圧された第２カム１１の回動に伴って第２カム１１の水平部が第１カム１０の突出部１９を押圧し、それにより第１カム１０が回動し、第１カム１０の指部１７とリンク９の突起部１６との係合を外し、リンク９はスプリング１５の付勢力により回動し、ロック板６が再び上方に回動してロアレール１のロック歯８にロック板６のロック孔７を噛合させ、前倒し前の元の位置でシートがロックされる。
【００２１】
尚、本発明によるメモリー機構を有するシート調整装置において、シートの位置の前後方向の調整はロック板６のみを作動させることにより行うことができるようになっている。
【図面の簡単な説明】
【００２２】
【図１】本発明によるメモリー機構を有するシート調整装置の全体の斜視図である。
【図２】全体の分解斜視図である。
【図３】初期位置のメモリー機構の斜視図である。
【図４】メモリーユニットの分解斜視図である。
【図５】初期位置のメモリー機構の側面図である。
【図６】初期位置からメモリーオン状態にしたメモリー機構の側面図である。
【図７】第２カムが回動して第１カムを押圧しロックオフ状態を解除したメモリー機構の平面図である。
【図８】第１カムが回動してロック板のロックオフ状態を維持しているメモリー機構の平面図である。
【符号の説明】
【００２３】
１      ロアレール
２      アッパレール
３      ブラケット
４      メモリーユニット
５      ローラー
６      ロック板
７      ロック孔
８      ロック歯
９      リンク
１０    第１カム
１１    第２カム
１２    ブラケット
１５    スプリング
【図１】
2009202832.tif 000003
【図２】
2009202832.tif 000004
【図３】
2009202832.tif 000005
【図４】
2009202832.tif 000006
【図５】
2009202832.tif 000007
【図６】
2009202832.tif 000008
【図７】
2009202832.tif 000009
【図８】
2009202832.tif 000010